(57)【要約】【課題】分岐点からの距離を短くし、一筆書きに近い状態の接続として、通信品質の劣化を少なくする。【解決手段】第１の変換器３と第２の変換器４と分岐ケーブル５とを設ける。第１の変換器３に配線３３Ｌ，３３Ｒを設け、第２の変換器４に配線４３ａ，４３ｂを設け、コントローラ１−２からの信号入出力ライン２３Ｌを第１の変換器３内で分岐ケーブル４中の接続ライン５３に接続し、コントローラ１−３への信号入出力ライン２３Ｒを第１の変換器３内で分岐ケーブル５中の接続ライン５５に接続し、第２の変換器４内での分岐ケーブル５中の接続ライン５３と５５との接続点Ｐ１を分岐点とし、コントローラ１−２からの信号入出力ライン２３Ｌをコントローラ１−６への信号入出力ライン２３に接続する。【選択図】  図２
2019153860.tif 000002
【特許請求の範囲】
【請求項１】
第１の装置と第２の装置との間のシリアル通信による信号入出力ラインを第３の装置に分岐するシリアル通信分岐装置であって、
第１および第２の接続ラインを含む分岐ケーブルと、
前記第１の装置からの前記信号入出力ラインを含む第１の接続ケーブルが接続される第１の接続口と、前記第２の装置への前記信号入出力ラインを含む第２の接続ケーブルが接続される第２の接続口と、前記分岐ケーブルの一端が接続される第３の接続口と、前記第１の接続ケーブル中の前記信号入出力ラインを前記分岐ケーブル中の前記第１の接続ラインに接続する第１の配線と、前記第２の接続ケーブル中の前記信号入出力ラインを前記分岐ケーブル中の前記第２の接続ラインに接続する第２の配線とを有する第１の変換器と、
前記分岐ケーブルの他端が接続される第４の接続口と、前記第３の装置への前記信号入出力ラインを含む第３の接続ケーブルが接続される第５の接続口と、前記分岐ケーブル中の前記第１の接続ラインを前記第３の接続ケーブル中の前記信号入出力ラインおよび前記分岐ケーブル中の前記第２の接続ラインに接続する第３の配線とを有する第２の変換器と
を備えることを特徴とするシリアル通信分岐装置。
【請求項２】
請求項１に記載されたシリアル通信分岐装置において、
前記第１の接続ケーブルは、
前記第１の装置からのグランドラインを含み、
前記第２の接続ケーブルは、
前記第２の装置へのグランドラインを含み、
前記第３のケーブルは、
前記第３の装置へのグランドラインを含み、
前記分岐ケーブルは、
第３および第４の接続ラインを含み、
前記第１の変換器は、
前記第１の接続ケーブル中の前記グランドラインを前記分岐ケーブル中の前記第３の接続ラインに接続する第４の配線と、
前記第２の接続ケーブル中の前記グランドラインを前記分岐ケーブル中の前記第４の接続ラインに接続する第５の配線とを有し、
前記第２の変換器は、
前記分岐ケーブル中の前記第３の接続ラインを前記第３の接続ケーブル中の前記グランドラインおよび前記分岐ケーブル中の前記第４の接続ラインに接続する第６の配線とを有する
ことを特徴とするシリアル通信分岐装置。
【請求項３】
請求項１又は２に記載されたシリアル通信分岐装置において、
前記第１〜第３の接続ケーブルおよび前記分岐ケーブルは、
ＲＳ−４８５通信用のケーブルである
ことを特徴とするシリアル通信分岐装置。
【発明の詳細な説明】
【技術分野】
【０００１】
本発明は、第１の装置と第２の装置との間のシリアル通信による信号入出力ラインを第３の装置に分岐するシリアル通信分岐装置に関する。
【背景技術】
【０００２】
従来より、ＲＳ−４８５などのシリアル通信では、デイジーチェーンでの通信手法が広く用いられている。
【０００３】
ＲＳ−４８５は、ＥＩＡ(Electronics Industries Association （米国電子工業会）) が制定したシリアルインターフェイスの規格の１つで、多対多接続に対応している。伝送モードはマルチポイントシステムで、接続は基本的にデイジーチェーンで行わなければならない。
【０００４】
デイジーチェーンとは、例えばネットワークの始点からユニット１へ、そしてユニット２へと順に、最終ポイントに達するまで数珠つなぎに接続する接続方法である。
【０００５】
図３に、ユニット間をデイジーチェーンで接続したネットワークの一例を示す（例えば、特許文献１参照）。この例では、コントローラ１（１−１〜１−５）を１つのユニット（装置）とし、隣り合うコントローラ１間をＲＳ−４８５通信用のケーブル２（２−１〜２−４）によって数珠つなぎに接続している。
【０００６】
このネットワークにおいて、ケーブル２（２−１〜２−４）には、コントローラ１間のシリアル通信による信号入出力ライン２３（２３1〜２３4）が含まれている。
【先行技術文献】
【特許文献】
【０００７】
【特許文献１】特開２０１７−１７５２７８号公報
【発明の概要】
【発明が解決しようとする課題】
【０００８】
ＲＳ−４８５などのシリアル通信では、基本的に一筆書きに近い状態で配線することが通信品質の観点から望ましく、スター、ツリー、又はブランチなどの、分岐が生じる構成は通信品質が劣化するため非推奨とされる。
【０００９】
例えば、図４に示すように、コントローラ１−６が離れた位置にあり、コントローラ１−２とコントローラ１−３との間を接続するケーブル２−２からケーブル２−５を分岐させてコントローラ１−６を接続すると、ケーブル２−２中の信号入出力ライン２３2とケーブル２−５中の信号入出力ライン２３5との接続点（分岐点）Ｐからコントローラ１−６までの距離（通信路の長さ）Ｌが長くなり、通信品質が大きく劣化する。
【００１０】
本発明は、このような課題を解決するためになされたもので、その目的とするところは、分岐点からの距離を短くすることで、通信品質の劣化を少なくすることが可能なシリアル通信分岐装置を提供することにある。
【課題を解決するための手段】
【００１１】
このような目的を達成するために本発明は、第１の装置（１−２）と第２の装置（１−３）との間のシリアル通信による信号入出力ライン（２３Ｌ，２３Ｒ）を第３の装置（１−６）に分岐するシリアル通信分岐装置（１００）であって、第１および第２の接続ライン（５３，５５）を含む分岐ケーブル（５）と、第１の装置からの信号入出力ライン（２３Ｌ）を含む第１の接続ケーブル（２−２Ｌ）が接続される第１の接続口（３−１）と、第２の装置への信号入出力ライン（２３Ｒ）を含む第２の接続ケーブル（２−２Ｒ）が接続される第２の接続口（３−２）と、分岐ケーブルの一端が接続される第３の接続口（３−３）と、第１の接続ケーブル中の信号入出力ライン（２３Ｌ）を分岐ケーブル中の第１の接続ライン（５３）に接続する第１の配線（３３Ｌ）と、第２の接続ケーブル中の信号入出力ライン（２３Ｒ）を分岐ケーブル中の第２の接続ライン（５５）に接続する第２の配線（３３Ｒ）とを有する第１の変換器（３）と、分岐ケーブルの他端が接続される第４の接続口（４−１）と、第３の装置への信号入出力ライン（２３）を含む第３の接続ケーブル（２−５）が接続される第５の接続口（４−２）と、分岐ケーブル中の第１の接続ライン（５３）を第３の接続ケーブル中の信号入出力ライン（２３）および分岐ケーブル中の第２の接続ライン（５５）に接続する第３の配線（４３ａ，４３ｂ）とを有する第２の変換器（４）とを備えることを特徴とする。
【００１２】
この発明において、第１の装置（１−２）からの信号入出力ライン（２３Ｌ）は、第１の変換器（３）内で分岐ケーブル（５）中の第１の接続ライン（５３）に接続され、第２の変換器（４）内で分岐ケーブル（５）中の第２の接続ライン（５５）に接続されて第１の変換器（３）に戻され、第１の変換器（３）内で第２の装置（１−３）への信号入出力ライン（２３Ｒ）に接続される。また、第１の装置（１−２）からの信号入出力ライン（２３Ｌ）は、第２の変換器（４）内での分岐ケーブル（５）中の第１の接続ライン（５３）と第２の接続ライン（５５）との接続点（Ｐ１）を分岐点として、第３の装置（１−６）への信号入出力ライン（２３）に接続される。
【００１３】
これにより、本発明では、分岐点から第３の装置までの距離を短くし、一筆書きに近い状態の接続として、通信品質の劣化を少なくすることが可能となる。なお、本発明では、第２の変換器内に分岐点を設けることによって、第１の装置から第２の変換器までの距離、第２の変換器から第２の装置までの距離がそれぞれ伸びてしまうことになるが、これは本来の一筆書きの経路であるため、長くなっても通信品質への影響はさほど生じない。
【００１４】
なお、上記説明では、一例として、発明の構成要素に対応する図面上の構成要素を、括弧を付した参照符号によって示している。
【発明の効果】
【００１５】
以上説明したように、本発明によれば、第１の装置からの信号入出力ラインを第１の変換器内で分岐ケーブル中の第１の接続ラインに接続し、第２の装置への信号入出力ラインを第１の変換器内で分岐ケーブル中の第２の接続ラインに接続し、第２の変換器内で分岐ケーブル中の第１の接続ラインと第２の接続ラインとの接続点を分岐点とし、第１の装置からの信号入出力ラインを第３の装置への信号入出力ラインに接続するようにしたので、分岐点から第３の装置までの距離を短くし、一筆書きに近い状態の接続として、通信品質の劣化を少なくすることが可能となる。
【図面の簡単な説明】
【００１６】
【図１】図１は、本発明の実施の形態に係るシリアル通信分岐装置の構成を示す図である。
【図２】図２は、図１に示したシリアル通信分岐装置内の配線接続の詳細を示す図である。
【図３】図３は、ユニット間をデイジーチェーンで接続したネットワークの一例を示す図である。
【図４】図４は、デイジーチェーンによる接続を分岐させた場合の問題を説明する図である。
【発明を実施するための形態】
【００１７】
以下、本発明の実施の形態を図面に基づいて詳細に説明する。図１に、図４に示したコントローラ１−２とコントローラ１−３との間のケーブル２−２のコントローラ１−６への分岐を、本発明の実施の形態に係るシリアル通信分岐装置１００を用いて行うようにした例を示す。
【００１８】
本実施の形態のシリアル通信分岐装置１００は、第１の変換器（第１の分岐コネクタ）３と、第２の変換器（第２の分岐コネクタ）４と、分岐ケーブル５とから構成されている。
【００１９】
このシリアル通信分岐装置１００において、第１の変換器３は、図２に示すように、コントローラ１−２からのケーブル２（２−２Ｌ）が接続される接続口３−１と、コントローラ１−３へのケーブル２（２−２Ｒ）が接続される接続口３−２と、分岐ケーブル５の一端が接続される接続口３−３とを備えている。本実施の形態において、分岐ケーブル５は、ケーブル２と同様、ＲＳ−４８５通信用のケーブルとされ、８本の接続ライン５１〜５８を備えている。
【００２０】
第１の変換器３の接続口３−１に接続されるケーブル２−２Ｌには、コントローラ１−２からのグランドライン２１Ｌ，２２Ｌ（ＧＮＤ）と、コントローラ１−２からの信号入出力ライン２３Ｌ（ＲＳ４８５_Ａ），２６Ｌ（ＲＳ４８５_Ｂ）とが含まれている。
【００２１】
第１の変換器３の接続口３−２に接続されるケーブル２−２Ｒには、コントローラ１−３へのグランドライン２１Ｒ，２２Ｒ（ＧＮＤ）と、コントローラ１−３への信号入出力ライン２３Ｒ（ＲＳ４８５_Ａ），２６Ｒ（ＲＳ４８５_Ｂ）とが含まれている。
【００２２】
また、第１の変換器３は、ケーブル２−２Ｌ中のグランドライン２１Ｌを分岐ケーブル５中の接続ライン５１に接続する配線３１Ｌと、ケーブル２−２Ｌ中のグランドライン２２Ｌを分岐ケーブル５中の接続ライン５２に接続する配線３２Ｌと、ケーブル２−２Ｌ中の信号入出力ライン２３Ｌを分岐ケーブル５中の接続ライン５３に接続する配線３３Ｌと、ケーブル２−２Ｌ中の信号入出力ライン２６Ｌを分岐ケーブル５中の接続ライン５６に接続する配線３６Ｌとを備えている。
【００２３】
また、第１の変換器３は、ケーブル２−２Ｒ中のグランドライン２１Ｒを分岐ケーブル５中の接続ライン５７に接続する配線３１Ｒと、ケーブル２−２Ｒ中のグランドライン２２Ｒを分岐ケーブル５中の接続ライン５８に接続する配線３２Ｒと、ケーブル２−２Ｒ中の信号入出力ライン２３Ｒを分岐ケーブル５中の接続ライン５５に接続する配線３３Ｒと、ケーブル２−２Ｒ中の信号入出力ライン２６Ｒを分岐ケーブル５中の接続ライン５４に接続する配線３６Ｒとを備えている。
【００２４】
このシリアル通信分岐装置１００において、第２の変換器４は、分岐ケーブル５の他端が接続される接続口４−１と、コントローラ１−６へのケーブル２（２−５）が接続される接続口４−２とを備えている。ケーブル２−５には、コントローラ１−６へのグランドライン２１，２２（ＧＮＤ）と、コントローラ１−６への信号入出力ライン２３（ＲＳ４８５_Ａ），２６（ＲＳ４８５_Ｂ）とが含まれている。
【００２５】
また、第２の変換器４は、分岐ケーブル５中の接続ライン５１をケーブル２−５中のグランドライン２１に接続する配線４１ａと、分岐ケーブル５中の接続ライン５１を分岐ケーブル５中の接続ライン５７に接続する配線４１ｂと、分岐ケーブル５中の接続ライン５２をケーブル２−５中のグランドライン２２に接続する配線４２ａと、分岐ケーブル５中の接続ライン５２を分岐ケーブル５中の接続ライン５８に接続する配線４２ｂとを備えている。
【００２６】
また、第２の変換器４は、分岐ケーブル５中の接続ライン５３をケーブル２−５中の信号入出力ライン２３に接続する配線４３ａと、分岐ケーブル５中の接続ライン５３を分岐ケーブル５中の接続ライン５５に接続する配線４３ｂと、分岐ケーブル５中の接続ライン５６をケーブル２−５中の信号入出力ライン２６に接続する配線４６ａと、分岐ケーブル５中の接続ライン５６を分岐ケーブル５中の接続ライン５４に接続する配線４６ｂとを備えている。
【００２７】
このシリアル通信分岐装置１００では、コントローラ１−２が本発明でいう第１の装置に相当し、コントローラ１−３が第２の装置に相当し、コントローラ１−６が第３の装置に相当する。また、コントローラ１−２からのケーブル２−２Ｌが本発明でいう第１の接続ケーブルに相当し、コントローラ１−３へのケーブル２−２Ｒが第２の接続ケーブルに相当し、コントローラ１−６へのケーブル２−５が第３のケーブルに相当する。
【００２８】
また、第１の変換器３における接続口３−１が本発明でいう第１の接続口に相当し、第１の変換器３における接続口３−２が第２の接続口に相当し、第１の変換器３における接続口３−３が第３の接続口に相当する。また、第２の変換器４における接続口４−１が本発明でいう第４の接続口に相当し、第２の変換器４における接続口４−２が第５の接続口に相当する。
【００２９】
また、分岐ケーブル５における接続ライン５３，５６が本発明でいう第１の接続ラインに相当し、分岐ケーブル５における接続ライン５４，５５が第２の接続ラインに相当する。また、分岐ケーブル５における接続ライン５１，５２が本発明でいう第３の接続ラインに相当し、分岐ケーブル５における接続ライン５７，５８が第４の接続ラインに相当する。
【００３０】
また、第１の変換器３における配線３３Ｌ，３６Ｌが本発明でいう第１の配線に相当し、第１の変換器３における配線３３Ｒ，３６Ｒが第２の配線に相当し、第２の変換器４における配線４３ａ，４３ｂ、４６ａ，４６ｂが第３の配線に相当する。また、第１の変換器３における配線３１Ｌ，３２Ｌが本発明でいう第４の配線に相当し、第１の変換器３における配線３１Ｒ，３２Ｒが第５の配線に相当し、第２の変換器４における配線４１ａ，４１ｂ、４２ａ，４２ｂが第６の配線に相当する。
【００３１】
このシリアル通信分岐装置１００において、コントローラ１−２からの信号入出力ライン２３Ｌ，２６Ｌは、第１の変換器３内で配線３３Ｌ，３６Ｌにより分岐ケーブル５中の接続ライン５３，５６（第１の接続ライン）に接続され、第２の変換器４内で配線４３ｂ，４６ｂにより分岐ケーブル５中の接続ライン５５，５４（第２の接続ライン）に接続されて第１の変換器３に戻され、第１の変換器３内で配線３３Ｒ，３６Ｒによりコントローラ１−３への信号入出力ライン２３Ｒ，２６Ｒに接続される。また、コントローラ１−２からの信号入出力ライン２３Ｌ，２６Ｌは、第２の変換器４内での分岐ケーブル５中の接続ライン５３，５６（第１の接続ライン）と接続ライン５５，５４（第２の接続ライン）との接続点Ｐ１，Ｐ２を分岐点として、配線４３ａ，４６ａによりコントローラ１−６への信号入出力ライン２３，２６に接続される。
【００３２】
また、このシリアル通信分岐装置１００において、コントローラ１−２からのグランドライン２１Ｌ，２２Ｌは、第１の変換器３内で配線３１Ｌ，３２Ｌにより分岐ケーブル５中の接続ライン５１，５２（第３の接続ライン）に接続され、第２の変換器４内で配線４１ｂ，４２ｂにより分岐ケーブル５中の接続ライン５７，５８（第４の接続ライン）に接続されて第１の変換器３に戻され、第１の変換器３内で配線３１Ｒ，３２Ｒによりコントローラ１−３へのグランドライン２１Ｒ，２２Ｒに接続される。また、コントローラ１−２からのグランドライン２１Ｌ，２２Ｌは、第２の変換器４内での分岐ケーブル５中の接続ライン５１，５２（第３の接続ライン）と接続ライン５７，５８（第４の接続ライン）との接続点Ｐ３，Ｐ４を分岐点として、配線４１ａ，４２ａによりコントローラ１−６へのグランドライン２１，２２に接続される。
【００３３】
これにより、本実施の形態では、図１に示されるように、分岐点Ｐ（Ｐ１，Ｐ２，Ｐ３，Ｐ４）からコントローラ１−６までの距離（通信路の長さ）Ｌを短くし、一筆書きに近い状態の接続として、通信品質の劣化を少なくすることが可能となる。
【００３４】
なお、本実施の形態では、第２の変換器内４に分岐点Ｐ（Ｐ１，Ｐ２，Ｐ３，Ｐ４）を設けることによって、コントローラ１−２から第２の変換器４までの距離、第２の変換器４からコントローラ１−３までの距離がそれぞれ伸びてしまうことになるが、これは本来の一筆書きの経路であるため、長くなっても通信品質への影響はさほど生じない。
【００３５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【００３６】
例えば、上述した実施の形態では、ＲＳ４８５によるシリアル通信を前提としているが、ＲＳ４８５によるシリアル通信に限られるものではない。また、上述した実施の形態において、第１の変換器３と第２の変換器４と分岐ケーブル５とは別体として提供するようにしてもよく、一体として提供するようにしてもよい。
【符号の説明】
【００３７】
１…コントローラ、２…ケーブル、２１，２１Ｌ，２１Ｒ…グランドライン、２２，２２Ｌ，２２Ｒ…グランドライン、２３，２３Ｌ，２３Ｒ…信号入出力ライン、２６，２６Ｌ，２６Ｒ…信号入出力ライン、３…第１の変換器、３−１〜３−３…接続口、３１Ｌ，３２Ｌ，３３Ｌ，３６Ｌ…配線、３１Ｒ，３２Ｒ，３３Ｒ，３６Ｒ…配線、４…第２の変換器、４−１，４−２…接続口、４１ａ，４２ａ，４３ａ，４６ａ…配線、４１ｂ，４２ｂ，４３ｂ，４６ｂ…配線、５…分岐ケーブル、５１〜５８…接続ライン、Ｐ（Ｐ１〜Ｐ４）…分岐点、１００…シリアル通信分岐装置。
【図１】
2019153860.tif 000003
【図２】
2019153860.tif 000004
【図３】
2019153860.tif 000005
【図４】
2019153860.tif 000006